(57)【要約】【課題】従来の強制空冷主経路のみでは放熱出来ない発熱部品に対して、直接的な熱接続をせず、また、新たにファンを追加しないで効率よく放熱をさせる。【解決手段】従来の強制空冷主経路のみでは放熱出来ない発熱部品に対して、発熱部品を覆う空間部の構成と、前記空間部と従来の強制空冷機構に使用されるファンの排気部（流速）をバイパスさせる構成を具備している。これにより、従来の強制空冷主経路とは別の任意の空間（前記発熱部品個所）に空気の流れを発生させ従来の強制空冷主経路以外の発熱部品の冷却も図る構造。【選択図】図１
2017037972.tif 000002
【特許請求の範囲】
【請求項１】
動作時に発熱する発熱部品を含む電子部品が収容された筐体と
前記発熱部品の一部に熱接続し放熱を図る放熱体と
前記放熱体に冷風を送風するファンと
前記ファンの排気経路を設けるダクトと
前記ダクトとバイパスする空間部の構造を備え、
前記空間部は外気との通風口を備え、
前記空間部には前記発熱部品と別の発熱部品の一部を覆う構造で配置し、
前記ファンの稼働（排気）により発生する流速に引き込まれ、前記空間部に風の流れを発生（強制空冷主経路とは別の強制空冷経路を設ける）させ、前記発熱部品と別の発熱部品の冷却を図る構造を具備していることを特徴とする電子機器。
【請求項２】
強制空冷機構を備えた電子機器で
ファンの排気経路を設けるダクトと
前記ダクトと別部品が接続されることによって
ファン吸気側経路以外に
ファンの排気側で流体経路を構成することを特徴とする電子機器。
【発明の詳細な説明】
【技術分野】
【０００１】
本発明は、強制空冷機構を備えた電子機器に関する。
【背景技術】
【０００２】
近年、４K等の高画質での映像記録として大容量高速可能な記録メディア（例：CFastカードなど）が用いられている。一方、この大容量高速可能な記録メディアは前記高画質等での長時間撮影において発熱を伴い、また記録メディア自体の外装部が金属である為、この記録メディアに対しての放熱構造を設ける必要がある。しかし、この記録メディアはユーザーによって任意のタイミングで挿抜（可動）がある為、機器内で記録メディアへ容易に接触、接続（熱伝導）による放熱経路が設け難い課題がある。
【０００３】
特許文献１は、複数の発熱部品を冷却可能であるとともに、それら発熱部品を高度に実装する事が可能な電子機器を得る提案を開示している。しかし何らかの手段で直接記録メディアへの熱接続を設ける機構が必要であり、ユーザーによる任意のタイミングで起こりえる記録メディアの挿抜（可動）への対応が課題となる。
【０００４】
また、特許文献２は、発熱部材の熱を効率よく排出し得る構成でありながら、外部に排出される排気の温度が高くなり過ぎないようにする放熱ユニットを備えた電子機器を得る提案を開示している。しかし任意の（意図する）箇所への空気の流れを制御できない点と、任意の（意図する）個所で外部空気との換気性が乏しく、放熱効果が小さい課題がある。
【先行技術文献】
【特許文献】
【０００５】
【特許文献１】特開2007-310716号公報
【特許文献２】特開2013-2514526号公報
【発明の概要】
【発明が解決しようとする課題】
【０００６】
従来の強制空冷機構を備えた電子機器では強制空冷機構の流体主経路空間以外の発熱個所においては、熱の放熱経路が乏しく、前記強制空冷機構による放熱手段以外に何らかの放熱手段を講じる必要がある。その為、前記流体主経路空間以外の発熱部品へは板金や放熱部材を用いて直接熱接続させ、熱伝導により筐体またはその他の放熱部材に熱を移動させ放熱を図る手段が主であった。しかし、近年直接的な熱接続が困難且つ発熱量の大きい発熱部品（例：記録メディアやバッテリーなどユーザーが任意のタイミングで取り外しできる部品やＷｉＦｉなど機能上で接続に制約などある部品）が増えてきている。
【０００７】
これに対して前記流体主経路空間以外の発熱個所へは空気の流れを発生させ、熱伝達（移動）を促進させる事で放熱の有効性があるが、これには強制空冷機構の流体主経路空間以外に、新たに別のファンを設ける必要がありコストが掛かるという課題もある。
【０００８】
そこで、本発明の目的は、従来の強制空冷機構で使用されているファンの排気流速を利用する事で、流体主経路空間以外の任意の個所へ空気の流れを発生させ、流体主経路空間以外の発熱部品の冷却を図る機構を特徴とする電子機器を提供することにある。
【課題を解決するための手段】
【０００９】
上記の目的を達成するために、本発明に係る電子機器は、
強制空冷機構の流体主経路空間以外の発熱個所を覆う空間部を有する。また、前記空間部は外気との通風口を有する。また、従来の強制空冷機構に使用されているファンには排気経路を有する構造を備え、前記流体主経路空間以外の発熱個所を覆う空間部と、前記ファンの排気経路が繋がる構成にある。
【００１０】
この時従来の強制空冷機構に使用されているファンの排気の流速によって、前記流体主経路空間以外の発熱個所を覆う空間部と前記ファンの排気経路で圧力差が生じ、前記流体主経路空間以外の発熱個所を覆う空間部に空気の流れが発生する。これにより、流体主経路空間以外の発熱部品の冷却が可能になる。
【発明の効果】
【００１１】
本発明に係る電子機器によれば、強制空冷機構の流体主経路空間以外の発熱個所（例：記録メディアなど）に対しても外部空気との換気（空気の流れ）を発生させる事で、熱的な接触、接続等を設ける必要がなく放熱させる事が可能になる。
【００１２】
また強制空冷機構の流体主経路空間以外の発熱個所に対して新たなファンを追加しなくても従来、強制空冷機構で使用しているファンの排気流速を利用する事で、空気の流れを発生させる事が可能になる。
【図面の簡単な説明】
【００１３】
【図１】本発明を適用した実施例1（放熱対象：記録メディア）の電子機器筐体内部断面の模式図
【図２】本発明を適用した実施例2（放熱対象：バッテリー）の流体経路模式図及び内部構成模式図
【図３】本発明を適用した実施例3（放熱対象：WiFi）の流体経路、内部構成模式図
【発明を実施するための形態】
【００１４】
以下、本発明の実施形態として、電子機器がデジタルビデオカメラである場合を例示しながら説明する。
【００１５】
［実施例１］
図１において、図１は記録メディア（強制空冷主経路対象以外の発熱個所）102個所へ強制空冷主経路105aとは別に空気の流れを発生させ、冷却を図る構造例を図示したものである。デジタルビデオカメラ内部に設けられたファン105が稼働する事によって、デジタルビデオカメラにはデジタルビデオカメラ筺体100外部から空気が入り込む。この時、ダクト106とファン105、ファン排気ダクト104を通り、再度デジタルビデオカメラ筺体100外部へ放出するファンによる空気の流れ（強制空冷主経路）105aが形成される。
【００１６】
強制空冷主経路対象の発熱部品107は、ダクト106と熱接続している。前記強制空冷主経路対象の発熱部品107の熱はダクト106を介して、前記ファンによる空気の流れ（強制空冷主経路）105aによって熱を外部へ放出する（従来の強制空冷構造）。
【００１７】
これに、記録メディア102個所においては、記録メディアカバー（蓋）101に設けられた外部との通風口100aと、記録メディア102を覆う空間形成部品108を具備している。更に、記録メディア基板103と排気ダクト104が締結する事で強制空冷第二経路105bが形成される。これは記録メディア基板103に設けられた流路バイパス用の穴103aと排気ダクト104に設けられた流路バイパス用の形成部104aよって、前記外部との通風口100aと前記排気ダクト104内が繋がる為である。
【００１８】
これにより前記ファン105が稼働する事で、排気時に発生する流速により、前記外部との通風口100aと排気ダクト104内とで圧力差が生じて、前記、強制空冷第二経路105ｂに空気が流れが生じ、記録メディア102の放熱を図る構造を備えている。
【００１９】
［実施例２］
図２において、図２はバッテリー（強制空冷主経路対象以外の発熱個所）201個所へ強制空冷主経路とは別に空気の流れを発生させ、冷却を図る構造例を図示したものである。
【００２０】
強制空冷機構を搭載したデジタルビデオカメラ200において、実施例１同様に排気ダクト104（流路バイパス用の形成部104a）とバッテリー201（発熱部品）を覆う空間形成部品108が接続される。これにより、外部との通風口100aと前記排気ダクト104内を繋ぐ強制空冷第二経路105bが形成される。これに、前記強制空機構内のファン105が稼働する事で、排気時に発生する流速により、前記外部との通風口100aと排気ダクト104内とで圧力差が生じて、前記、強制空冷第二経路105ｂに空気が流れが生じ、バッテリー201の放熱を図る構造を備えている。
【００２１】
［実施例３］
図３において、図３はWiFi（強制空冷主経路対象以外の発熱個所）300個所へ強制空冷主経路とは別に空気の流れを発生させ、冷却を図る構造例を図示したものである。
【００２２】
実施例１同様にWiFi300を覆う空間形成部品108と、デジタルビデオカメラ筺体100の一部に設けられた外部との通風口100aを設け、排気ダクト104の流路バイパス用の形成部104aと前記空間形成部品108が接続される。これにより、外部との通風口100aと前記排気ダクト104内を繋ぐ強制空冷第二経路105bが形成される。
【００２３】
これに、ファン105が稼働する事で、排気時に発生する流速により、前記外部との通風口100aと排気ダクト104内とで圧力差が生じて、前記、強制空冷第二経路105ｂに空気が流れが生じ、WiFi300の放熱を図る構造を備えている。
【符号の説明】
【００２４】
100  デジタルビデオカメラ筺体、100a  外気との通風口、
101  記録メディアカバー（蓋）、
102  記録メディア（強制空冷主経路対象以外の発熱部品）、103  記録メディア基板、
103a  流路バイパス用の穴、104  排気ダクト、104a  流路バイパス用の形成部、
105  ファン、105a  ファンによる空気の流れ（強制空冷主経路）、
105b  ファン排気流速を利用した空気が流れる流路（強制空冷第二経路）、
106  ダクト、107  強制空冷主経路対象の発熱部品、
108  発熱部品を覆う空間形成部品、
200  強制空冷機構を搭載したデジタルビデオカメラ（電子機器）、
201  バッテリー（強制空冷主経路対象以外の発熱部品）、
300  ＷiＦi（強制空冷主経路対象以外の発熱部品）
【図１】
2017037972.tif 000003
【図２】
2017037972.tif 000004
【図３】
2017037972.tif 000005